(57)【要約】      （修正有）【課題】コイル又はトランスからなる電磁波発生体が放射している磁界である電磁波は、電磁波発生体を囲む導電性帯体に反対向きの反射波である反対磁界を発生させるような誘電電流を誘起させ、導電性帯体に囲まれた領域の磁界を相殺し、磁気遮蔽を行うことができる。電磁波発生体の外周に取付けるショートリングを複数の帯状片として曲折させ、容易に筒型に組立てられるショートリングを提供する。【解決手段】ショートリングは、長手形状の導電性帯体２をその長手方向に沿って少なくとも３個の帯状片２Ａ、２Ｂ、２Ｃより形成し、第２帯状片２Ｂを曲折させると共に第３帯状片２Ｃを第１帯状片２Ａに重合させて筒状とする構成である。【選択図】図７
2008016641.tif 000002
【特許請求の範囲】
【請求項１】
電磁波を発生する電磁波発生体(1)の外周を包囲して設けられた導電性帯体(2)よりなり、前記電磁波発生体(1)が放射している磁界(3)は前記導電性帯体(2)に前記磁界(3)の向きとは反対向きの反射磁界(4)を発生させる透導電流(5)を誘起し、前記導電性帯体(2)に囲まれた領域の前記磁界(3)を相殺し、前記導電性帯体(2)により前記電磁波発生体(1)の磁気遮蔽をするように構成したショートリングにおいて、
前記導電性帯体(2)は、長手帯状体にて形成され、前記長手帯状体はその長手方向に沿って一体形成された少なくとも３個の第１、第２、第３帯状片より形成され、前記第２帯状片(2B)を曲折させると共に前記第３帯状片(2C)を前記第１帯状片(2A)に重合させたことを特徴とするショートリング。
【請求項２】
前記第１、第３帯状片(2A,2C)には、前記第１、第３帯状片(2A,2C)を固定するねじを貫通させるための孔(13,14)が形成されていることを特徴とする請求項１記載のショートリング。
【請求項３】
前記第１帯状片(2A)には、この長手方向に沿う両端位置に一対の突片(11,12)が曲折して形成されていることを特徴とする請求項１又は２記載のショートリング。
【請求項４】
前記第２帯状片(2B)は、半円筒形をなしていることを特徴とする請求項１ないし３の何れかに記載のショートリング。
【請求項５】
前記第２帯状片(2B)は、半角筒形をなしていることを特徴とする請求項１ないし３の何れかに記載のショートリング。
【請求項６】
前記電磁波発生体(1)は、コイル又はトランスからなることを特徴とする請求項１ないし５の何れかに記載のショートリング。
【発明の詳細な説明】
【技術分野】
【０００１】
本発明は、ショートリングに関し、特に、一枚の導電性帯体を少なくとも３個の帯状片として曲折し、簡単に筒状の形状として電磁波発生体に対する磁気遮蔽を行うことができるようにするための新規な改良に関する。
【背景技術】
【０００２】
従来、用いられていたこの種のショートリングとしては、非特許文献１に開示された構成を挙げることができる。
すなわち、前述の非特許文献１に開示された構成においては、全体形状が円筒形状をなすように構成されていた。
【０００３】
【非特許文献１】ジャテック出版の昭和５３年６月１５日出版による「実践ノイズ逓減技法」の第６章の１６９頁から１７５頁。
【発明の開示】
【発明が解決しようとする課題】
【０００４】
従来のショートリングは、以上のように構成されているため、次のような課題が存在していた。
すなわち、非特許文献１の１７５頁に開示されたショートリングは、円筒形状のみであるため、実験的にコイル等を内部に収容することはできるが、トランス等の各種の電磁波発生体を収容することは難しく、円筒形状であるために、その内部に電磁波発生体を収容するには、横から挿入して収容する以外に方法は存在していなかった。
【課題を解決するための手段】
【０００５】
本発明によるショートリングは、電磁波を発生する電磁波発生体の外周を包囲して設けられた導電性帯体よりなり、前記電磁波発生体が放射している磁界は前記導電性帯体に前記磁界の向きとは反対向きの反射磁界を発生させる透導電流を誘起し、前記導電性帯体に囲まれた領域の前記磁界を相殺し、前記導電性帯体により前記電磁波発生体の磁気遮蔽をするように構成したショートリングにおいて、前記導電性帯体は、長手帯状体にて形成され、前記長手帯状体はその長手方向に沿って一体形成された少なくとも３個の第１、第２、第３帯状片より形成され、前記第２帯状片を曲折させると共に前記第３帯状片を前記第１帯状片に重合させた構成であり、また、前記第１、第３帯状片には、前記第１、第３帯状片を固定するねじを貫通させるための孔が形成されている構成であり、また、前記第１帯状片には、この長手方向に沿う両端位置に一対の突片が曲折して形成されている構成であり、また、前記第２帯状片は、半円筒形をなしている構成であり、また、前記第２帯状片は、半角筒形をなしている構成であり、また、前記電磁波発生体は、コイル又はトランスからなる構成である。
【発明の効果】
【０００６】
本発明によるショートリングは、以上のように構成されているため、次のような効果を得ることができる。
すなわち、ショートリングを構成する導電性帯体が、折りたたみ自在な一体形状の少なくとも３つの帯状片からなり、第２帯状片を曲折して第３帯状片を第１帯状片に重合させることにより形成でき、トランス等の電磁波発生体を内部に収容することも極めて容易である。
また、この第２帯状片の形状を半円筒、半角筒等とすることにより各種形状の電磁波発生体を容易に収容できる。
また、第１、第３帯状片に孔が形成されているため、電磁波発生体を収容した後の導電性帯体の巻付け固定が容易である。
【発明を実施するための最良の形態】
【０００７】
本発明は、一対の導電性帯体を少なくとも３個の帯状片として曲折し、簡単に筒状の形状として電磁波発生体に対する磁気遮蔽を行うようにしたショートリングを提供することを目的とする。
【実施例】
【０００８】
以下、図面と共に本発明によるショートリングの好適な実施の形態について説明する。
図１は、本発明によるショートリング１０の全体構成を概略的に示すもので、例えば、トランス、コイル等の電磁波による磁界を強く放出する電磁波発生体１の外周には、長手帯状をなす導電性帯体２が巻付けられている。
【０００９】
前述の図１の電磁波発生体１が放射している磁界である電磁波３は、この導電性帯体２に反対向きの反射波である反対磁界４を発生させるような誘導電流５を誘起し、この反対磁界４がこのショートリング１０の導電性帯体２に囲まれた領域の磁界３を相殺し、ショートリング１０による磁気遮蔽を行うことができる。
【００１０】
前記ショートリング１０を構成する導電性帯体２は、図２から図４で示すように構成され、図２から図４では肉厚を省略して構成されている。
すなわち、図２は導電性帯体２が、一体に形成された第１帯状片２Ａ、第２帯状片２Ｂ及び第３帯状片２Ｃから構成され、第１帯状片２Ａの長手方向に沿う両端には一対の突片１１、１２が折り曲げて第１帯状片２Ａの面に対して垂直状となるようにした構成が示されている。
【００１１】
前記第１帯状片２Ａ及び第３帯状片２Ｃには、図３及び図４で示されるように孔１３、１４が形成されている。
前記各孔１３、１４は、前記第２帯状片２Ｂを曲折させ、第１帯状片２Ａに対して第３帯状片２Ｃを重合してねじ（図示しない）を貫通させて固定する場合に用いられる。
尚、前記各孔１３、１４のうち、孔１３は長孔で形成されているため、このショートリング１０を図示しない装置側に固定する際の位置決め調整ができるように構成されている。
【００１２】
次に、図５から図７は、前述の図２から図４の構成を実際の製品としてのショートリング１０として示すものである。
すなわち、図５から図７はショートリング１０を実際に組立てる場合の構成を示し、図５では、第１帯状片２Ａを図示しない装置上に置くと共に、この第１帯状片２Ａの各突片１１、１２間に収まるように前記電磁波発生体１を載置する。
【００１３】
次に、前述の状態で、図６のように、第２帯状片２Ｂを半円状に曲折させ、第３帯状片２Ｃを、図７のように電磁波発生体１の下部に挿入すると共に、前記第１帯状片２Ａ上に重合させると、導電性帯体２は全体形状が半円筒状となり、内部に前記電磁波発生体１を収容することができる。
【００１４】
前記装置（図示せず）に対するショートリング１０の取付けは、前記第３帯状片２Ｃの各孔１４側からねじ（図示せず）を貫通させ、第１帯状片２Ａの各孔１３を貫通させて前記装置側へ螺合させることに完了することができるが、前記孔１３の長孔を利用して装置に対する取付位置を微調整することができる。
【００１５】
尚、前述の導電性帯体２の形状は、図５から図７のように、第２帯状片２Ｂが半円筒状となるだけではなく、この第２帯状片２Ｂが角型の半角筒状とすることも自在に可能である。
【図面の簡単な説明】
【００１６】
【図１】本発明によるショートリングを示す原理構成図である。
【図２】図１の導電性帯体を示す概略構成図である。
【図３】図２の平面図である。
【図４】図３の左側面図である。
【図５】図２の導電性帯体の実際の製品を示す斜視図である。
【図６】図５の導電性帯体の組立途中を示す斜視図である。
【図７】図５の導電性帯体を組立てたショートリングを示す斜視図である。
【符号の説明】
【００１７】
１    電磁波発生体
２    導電性帯体
３    電磁波
４    反射波（反対磁界）
２Ａ    第１帯状片
２Ｂ    第２帯状片
２Ｃ    第３帯状片
１０    ショートリング
１１、１２    突片
１３、１４    孔
【図１】
2008016641.tif 000003
【図２】
2008016641.tif 000004
【図３】
2008016641.tif 000005
【図４】
2008016641.tif 000006
【図５】
2008016641.tif 000007
【図６】
2008016641.tif 000008
【図７】
2008016641.tif 000009